(57)【要約】【課題】半導体や液晶等の製造により、付着したレジストを剥離・洗浄するために、炭酸アルキレンを主成分とする洗浄液を用い、洗浄後の洗浄液をオゾンによって処理する有機被膜除去方法及び有機被膜除去装置を提供する。【解決手段】炭酸アルキレンを有効成分とする洗浄液を収容する洗浄槽と、洗浄槽に近接配置され、底部にオゾン散気管が配設されたオゾン処理槽と、洗浄槽の下部及び上部側壁とオゾン処理槽との下部及び上部側壁を通してそれぞれ両槽を接続する循環配管とを有し、炭酸アルキレンに溶解した有機被膜を構成する有機物をオゾンにより低分子有機物に分解することで、炭酸アルキレンの有機被膜を溶解する能力を再生し、同時にオゾンの気泡によるエアーリフト作用により洗浄液の循環使用を簡便に行うことができる有機被膜除去装置。【選択図】図８
2005144351.tif 000002
【特許請求の範囲】
【請求項１】
炭酸アルキレンを有効成分とする洗浄液を収容する洗浄槽と、
前記洗浄槽に近接配置され、底部にオゾン散気管が配設されたオゾン処理槽と、
前記洗浄槽の下部及び上部側壁と前記オゾン処理槽との下部及び上部側壁を通してそれぞれ両槽を接続する循環配管と、
を有することを特徴とする有機被膜除去装置。
【請求項２】
前記循環配管の上部配管に気泡排除板が設けられていることを特徴とする請求項１記載の有機被膜除去装置。
【請求項３】
炭酸アルキレンを有効成分とする洗浄液を収容する洗浄槽と、
前記洗浄槽と一体的に隣接配置され、底部にオゾン散気管が配設されたオゾン処理槽と、
前記洗浄槽と前記オゾン処理槽とを仕切り、その下部及び上部に洗浄液を循環させるための開口を有する間仕切りと、
を有することを特徴とする有機被膜除去装置。
【請求項４】
前記オゾン処理槽の前記循環配管の上部開口部に気泡排除板が設けられていることを特徴とする請求項３記載の有機被膜除去装置。
【請求項５】
前記オゾン処理槽の上部に通気管を介して接続されたオゾン分解手段を有することを特徴とする請求項１乃至４のいずれか１項記載の有機被膜除去装置。
【請求項６】
請求項１乃至５のいずれか１項記載の有機被膜除去装置と、
前記有機被膜除去装置で有機被膜を除去した後に洗浄液をすすぐための純水洗浄槽と、
前記純水洗浄槽で洗浄した後に、付着した純水を乾燥させるための乾燥手段と、
を有することを特徴とする有機被膜除去・洗浄装置。
【請求項７】
前記有機被膜除去・洗浄装置が、有機被膜を除去する第１の洗浄を行う第１の有機被膜除去装置と、前記第１の洗浄の後に残った有機被膜を除去する第２の洗浄を行う第２の有機被膜除去装置とからなることを特徴とする請求項６記載の有機被膜除去・洗浄装置。
【請求項８】
前記有機被膜除去・洗浄装置内を洗浄液が凝固しない温度に保持する保温手段を有することを特徴とする請求項６又は７記載の有機被膜除去・洗浄装置。
【請求項９】
炭酸アルキレンを有効成分とする洗浄液で洗浄対象物から有機被膜を除去する洗浄工程と、
前記洗浄工程により洗浄液中に溶解した有機被膜をオゾン散気管から放出されたオゾンと接触させ分解処理する有機被膜処理工程と、
前記オゾン散気管から放出されたオゾンにより洗浄液を循環させ、前記有機被膜処理工程を経由した洗浄液を再度洗浄工程に用いる洗浄液循環工程と、
を有することを特徴とする有機被膜除去方法。
【請求項１０】
前記有機被膜処理工程で有機被膜の分解処理に用いたオゾンを分解処理するオゾン分解工程を有することを特徴とする請求項９記載の有機被膜除去方法。
【請求項１１】
請求項９又は１０記載の有機被膜除去方法における洗浄工程により有機被膜が除去された洗浄対象物を純水ですすぐことによって、付着した洗浄液を洗い流す純水洗浄工程と、
前記純水洗浄工程で付着した水を蒸発、乾燥させる乾燥工程と、
を有することを特徴とする有機被膜除去・洗浄方法。
【請求項１２】
前記洗浄工程が、第１の洗浄工程及び第２の洗浄工程からなることを特徴とする請求項１１記載の有機被膜除去・洗浄方法。
【請求項１３】
前記洗浄工程、前記洗浄液循環工程及び前記純水洗浄工程を、洗浄液が凝固しない温度に保持して行うことを特徴とする請求項１１又は１２記載の有機被膜除去・洗浄方法。
【請求項１４】
前記温度が、３５〜８０℃であることを特徴とする請求項１３記載の有機被膜除去・洗浄方法。
【発明の詳細な説明】
【技術分野】
【０００１】
本発明は、炭酸アルキレンを有効成分とする洗浄液を用いた洗浄において、有機被膜が溶解して汚染された洗浄液を浄化する有機被膜除去装置、有機被膜除去・洗浄装置、有機被膜除去方法及び有機被膜除去・洗浄方法に関する。
【背景技術】
【０００２】
半導体ウェハの製造工程は、半導体ウェハ全面へのレジストの塗布等の様々な塗布工程を経て行われるものである。このとき、レジストの塗布は、スピンコーターによりウェハを回転しながらウェハ中央部に滴下されたレジストを遠心力により振り切って、所定の膜厚のレジスト膜をウェハ表面に形成することにより行われる。
【０００３】
スピンコート方式はレジスト塗布に限らず、ＳＯＧ（Ｓｐｉｎ  Ｏｎ  Ｇｒａｓｓ）膜を形成するＳＯＧ塗布等にも使用されている。すなわち、回転台に固定されたウェハを回転制御してウェハ中央部に滴下されたＳＯＧ液を振り切ることにより、レジスト塗布と同様に所定の膜厚のＳＯＧを形成することができる。
【０００４】
このようなスピンコート方式においては、振り切った塗布材は、ドレーン用のカップ（スピンコーターカップ）に落ちて回収され、ドレーンから排出され他の処理槽へと導かれる。
【０００５】
しかし、上記いずれの塗布処理においても、これが繰り返されることによって、スピンコーターカップにはドレーンから排出されずに残留したレジストの堆積物が徐々に蓄積されていく。この堆積物が多くなると、ウェハ工程におけるパーティクルの影響が懸念される。そこで、メンテナンス時において、スピンコーターカップを洗浄し、残留した堆積物を除去する必要が生じ、エチレングリコールやシンナー系等の有機溶剤やオゾン水の供給による洗浄が行われている（例えば、特許文献１参照。）。
【０００６】
また、スピンコーターカップではなくウェハの洗浄に用いるものではあるが、同様にレジスト塗膜の剥離、除去を行うものとして、４−メトキシ−１−ブタノール、３−メトキシ−１−ブタノール又は４−メトキシ−１−ブタノールと３−メトキシ−１−ブタノールとの混合物からなる溶剤と、炭酸プロピレンとから構成されるフォトレジスト用剥離液組成物（例えば、特許文献２参照。）、４０〜５０容量％の炭酸エチレン等の非プロトン性・環状炭酸エステル、並びにエチレンジアセテート、エチレンジブチレート等のプロトン性極性化合物、さらにＮ−メチル−２−ピロリドン及びトリエタノールアミンを含む溶剤の超音波撹拌浴中でフォトレジストを除去する方法（例えば、特許文献３参照。）及びオゾンガスを溶解した処理液を用いて有機被膜を除去する方法として、炭酸アルキレンと気体中のオゾンとの分配係数が室温で０．６以上であり、かつ、オゾンによって分解され難い１種または複数種混合の有機溶剤とを含む溶液を用いる方法（例えば、特許文献４参照。）が知られている。
【０００７】
これに対して、出願人は、炭酸エチレン又は炭酸プロピレン単独でも十分にレジストの剥離、除去を行うことができることを見出し、炭酸アルキレンにより有機被膜を除去した後、溶解した有機被膜をオゾンによって低分子量物質に分解して、処理液として再生し循環使用する有機被膜の除去方法の特許出願を既に行っている（特願２００２−２２９３９４）。
【特許文献１】特開２００２−２０５０２１号公報
【特許文献２】特許第２６７９６１８号公報
【特許文献３】米国特許第５６９０７４７号明細書
【特許文献４】特開２００３−２８２５１８号公報
【発明の開示】
【発明が解決しようとする課題】
【０００８】
そこで、本発明は、溶剤として炭酸アルキレンを主としてレジスト剥離の洗浄液に用い、炭酸アルキレンに溶解した有機被膜を構成する有機物をオゾンによって低分子量物質に分解することで、炭酸アルキレンが有機被膜を溶解する能力を再生し、洗浄液を循環使用する有機被膜の除去方法において、さらに簡便な構成でオゾンによる有機物の分解、炭酸アルキレンの再生を効率的に行うことができる有機被膜除去方法及び有機被膜除去装置を提供することを目的とする。
【課題を解決するための手段】
【０００９】
本発明の有機被膜除去装置は、炭酸アルキレンを有効成分とする洗浄液を収容する洗浄槽と、洗浄槽に近接配置され、底部にオゾン散気管が配設されたオゾン処理槽と、洗浄槽の下部及び上部側壁とオゾン処理槽との下部及び上部側壁を通してそれぞれ両槽を接続する循環配管とを有することを特徴とする。
【００１０】
本発明の有機被膜除去・洗浄装置は、本発明の有機被膜除去装置と、有機被膜除去装置で有機被膜を除去した後に洗浄液をすすぐための純水洗浄槽と、純水洗浄槽で洗浄した後に、付着した純水を乾燥させるための乾燥手段とを有することを特徴とする。
【００１１】
本発明の有機被膜除去方法は、炭酸アルキレンを有効成分とする洗浄液で洗浄対象物から有機被膜を除去する洗浄工程と、洗浄工程により洗浄液中に溶解した有機被膜をオゾン散気管から放出されたオゾンと接触させ分解処理する有機被膜分解工程と、オゾン散気管から放出されたオゾンによるエアーリフト作用により洗浄液を循環させ、有機被膜処理工程を経由した洗浄液を再度洗浄工程に用いる洗浄液循環工程とを有することを特徴とする。
【００１２】
また、本発明の有機被膜除去・洗浄方法は、本発明の有機被膜除去方法における洗浄工程により有機被膜が除去された洗浄対象物を純水ですすぐことによって、付着した洗浄液を洗い流す純水洗浄工程と、純水洗浄工程で付着した水を蒸発、乾燥させる乾燥工程とを有することを特徴とする。
【発明の効果】
【００１３】
本発明の有機被膜除去装置及び有機被膜除去方法によれば、洗浄対象物に付着している有機被膜を炭酸アルキレンにより効率良く剥離、溶解することができ、この有機被膜が溶解した炭酸アルキレンをオゾンと接触させることにより有機被膜を分解処理し、炭酸アルキレンの有機被膜の溶解能力を再生することができ、かつ、オゾンは散気管により放出されるエアーリフト作用のため、洗浄液の循環を特別な装置を設けることなく行うことができる。
【００１４】
本発明の有機被膜除去・洗浄装置及び有機被膜除去・洗浄方法によれば、本発明の有機被膜除去装置及び有機被膜除去方法と同様の効果が得られると共に、洗浄液のすすぎ、乾燥までを一連の作業で行うことができ、さらに、洗浄槽での炭酸アルキレンの有機被膜の溶解能力が再生されるため、洗浄作業も洗浄液の交換をせずに長時間連続的に行うことができる。
【発明を実施するための最良の形態】
【００１５】
以下、本発明の有機被膜除去装置及び有機被膜除去方法について図面を参照しながら説明する。
【００１６】
［有機被膜除去装置］
（第１の実施形態）
図１は、本発明の有機被膜の除去装置における第１の実施の形態を示した概念図である。
【００１７】
本発明の有機被膜除去装置１は、洗浄液２を収容する洗浄槽３と、底部にオゾン散気管４を配置したオゾン処理槽５と、洗浄槽３とオゾン処理槽５の下部及び上部側壁を通してそれぞれ両槽を接続する循環配管６とから構成されている。
【００１８】
この有機被膜除去装置１に用いる洗浄槽３は、炭酸アルキレンを有効成分とする洗浄液２を収容するものであり、この洗浄槽３に収容された洗浄液中に洗浄対象物を浸漬することによって洗浄対象物に付着している有機被膜の剥離・除去を行うものである。
【００１９】
また、このとき有機被膜の除去をより効率的に行うためには、揺動手段により洗浄対象物を洗浄液に浸漬しながら揺動したり、超音波を洗浄対象物に照射したりすることが好ましい。
【００２０】
図２は、洗浄対象物を入れる洗浄カゴを揺動する揺動手段の概念図を示したものである。揺動手段５１は、図２に記載したように、洗浄液中に洗浄対象物を浸漬するための洗浄用カゴ５２を保持する保持部５３とこの保持部５３と接続しており回転させることで洗浄用カゴ５２を揺動することができるカム５４で構成されている。
【００２１】
また、超音波を照射する場合には、洗浄槽３の底面及び／又は側面に超音波振動子を配置すればよい。
【００２２】
この有機被膜除去装置１に用いるオゾン処理槽５は、洗浄槽３の水平方向に近接配置され、その底部にオゾン散気管４を配置したものである。
【００２３】
このオゾン処理槽５は、洗浄槽３の水平方向に近接配置されているが、この距離があまり離れていると装置としてのまとまりが悪くなり、装置自体がコンパクトにならずかさばってしまうため好ましくない。また、後述するように、洗浄槽３とオゾン処理槽５との間で洗浄液２が効率良く循環することができなくなる点からも好ましくなく、洗浄槽３とオゾン処理槽５との間の距離は２０ｃｍ以下であることが好ましい。
【００２４】
また、このオゾン処理槽５では、オゾンにより洗浄液２に溶解している有機物を分解して低分子有機化合物とすることで、洗浄液を再生するものであり、これによりオゾン処理槽５を通過した洗浄液は有機被膜の溶解力が回復し、再度洗浄槽３で有機被膜の溶解に用いられる。
【００２５】
有機物を分解処理するオゾンは、オゾン処理槽５の底部に配置されたオゾン散気管４により気泡として放出され、このオゾン散気管４から放出されたオゾンは洗浄液２と接触し、洗浄液２の炭酸アルキレンに極微量溶け込み、この溶け込んだオゾンが洗浄液２に溶解している有機物を分解する。オゾンと炭酸アルキレンとはほとんど反応しないため、他に問題となるような反応が起こることはない。
【００２６】
また、このオゾン散気管４から放出されるオゾンには、有機物を分解するだけではなく、その気泡がオゾン処理槽５の底部から上部に向かうことにより生じるエアーリフト作用によって、オゾン処理槽５の洗浄液を押し上げ、対流させようとする働きもある。つまり、オゾン処理槽５は洗浄装置３との間で洗浄液２を移動させ、装置全体として洗浄液２を対流させる働きを有するものである。
【００２７】
この有機被膜除去装置１に用いるオゾン散気管４は、オゾン処理槽５の底部に配置されるものであり、これは既に述べた通り、有機物の分解と洗浄液２を対流させることができればよいため、底部よりも高い位置であってもこれらの機能を発揮することができればよい。オゾン散気管４を配置する際の高さは、循環配管６Ａの接続口近傍であることが好ましく、循環配管６Ａの接続口よりも高い位置でもよいが、接続口と同じ高さであるか低い位置であることがより好ましい。
【００２８】
また、オゾン散気管４は、球状、棒状、板状等の様々な形状をとることができ、特に限定されるものではなく、オゾン処理槽５において洗浄液２を鉛直方向に押し上げるエアーリフト作用を生じるものであればよい。
【００２９】
しかし、オゾン処理槽５の水平方向における断面で考えた場合、その断面の一つの箇所に偏って気泡が放出されてしまうと、オゾン処理槽５の内部だけで洗浄液２が撹拌されてしまい、洗浄槽３中の洗浄液２との循環がうまく行われなくなってしまうため、同じ水平方向断面において、まんべんなく気泡を放出することができる散気管であることが好ましい。
【００３０】
散気管４から放出される気泡の大きさは、洗浄液２に溶解している有機物を効率的に分解する観点からは、洗浄液２との接触面積が大きい微細なものであることが好ましいが、気泡は同時に洗浄液２を循環させるために洗浄液２を移動させるだけの力がなければならないため、その観点からはある程度大きな気泡であることが好ましい。これら両方の働きを満たすものとして、径が５μｍ〜５ｍｍの気泡であることが好ましく、１０μｍ〜２ｍｍであることが特に好ましい。
【００３１】
また、散気管通気量は、使用している洗浄液量によっても変わってくるものであるが、気泡の大きさで述べたのと同様に有機物を効率的に分解する働きと洗浄液２を循環させる働きを機能させるのに適した量とすればよい。例えば、洗浄液量が６０〜１２０Ｌ程度である場合には、散気管通気量は１〜１０Ｌ／分であることが好ましく、３〜７Ｌ／分であることがより好ましい。
【００３２】
本発明の循環配管６は、洗浄槽３の下部及び上部側壁とオゾン処理槽５の下部及び上部側壁を通してそれぞれ両槽を接続するものであり、洗浄槽３に収容された洗浄液２はこの循環配管６を通ってオゾン処理槽５に移動することができ、また、オゾン処理槽５に移動した洗浄液２は、同様に循環配管６を通って洗浄槽３に移動することができる。
【００３３】
この循環配管６は、洗浄槽３とオゾン処理槽５とを上部及び下部でそれぞれ接続しているが、下部の循環配管６Ａは、洗浄槽３からオゾン処理槽５への移動の際に、上部の循環配管６Ｂは、オゾン処理槽５から洗浄槽３への移動の際に、洗浄液２が通過することとなる。
【００３４】
本発明に用いる循環配管６は、下部の循環配管６Ａと上部の循環配管６Ｂとは同一の長さ、径を有するものが好ましく、あまり長いと洗浄槽３とオゾン処理槽５との距離が長くなってしまい、この間を移動する時間が長くなるため、洗浄にも有機物の分解にも寄与していない時間も長くなり、洗浄槽３とオゾン処理槽５との間で洗浄液２が効率良く循環することができない。そのため、循環配管６の長さは、２０ｃｍ以下であることが好ましく、５ｃｍ以下であることが特に好ましい。
【００３５】
また、循環配管６の径は、使用する洗浄液量、オゾンによる有機物の分解効率等により洗浄液の循環する速度を適宜定めることで、決定すればよい。この循環配管６の径としては、通常、１．５〜１５ｃｍ程度の径のものを用いることが考えられ、５〜１５ｃｍであることが特に好ましい。
【００３６】
次に、この有機被膜除去装置を使用した有機被膜除去方法について説明する。
【００３７】
本発明の有機被膜除去方法においては、まず、炭酸アルキレンを有効成分とする洗浄液２を収容した洗浄槽３に、洗浄対象物を浸漬し、該洗浄対象物に付着している有機被膜を除去する洗浄工程を行うものである。
【００３８】
本発明に用いる洗浄液２は、炭酸アルキレンを有効成分とするものであり、洗浄液２に対して炭酸アルキレンが８０質量％以上含有していることが好ましい。この炭酸アルキレンとしては、炭酸エチレン、炭酸プロピレン、炭酸エチレンと炭酸プロピレンとの混合物が挙げられる。
【００３９】
炭酸エチレンは、融点  ３６．４℃、沸点  ２３８℃、引火点  １６０℃であり、易水溶性で、室温では無色無臭の比較的安定な固体であるが、加温により液状の非プロトン性極性溶媒として用いることができる物質である。沸点・引火点が高く、毒性が小さいこと、さらに消防法における危険物には指定されていないことから好ましいものである。
【００４０】
炭酸プロピレンは、融点  −４８．８℃、沸点  ２４２℃、引火点  １３０℃以上であり、低温で液体であり第４類危険物になっている点を除けば、炭酸エチレンと同様な性質をもつ物質である。
【００４１】
ここで用いる炭酸アルキレン液は、芳香族炭化水素に対する溶解力が強いが、分子凝集エネルギー密度に関わる溶解パラメーター（ＳＰ値）が約１４と大きく、理論上はＳＰ値が揃うほど溶解しやすいとされているため、レジスト材料の高分子のＳＰ値は１０前後のものが多く、剥離用溶剤も似た値のもの、例えば、ＳＰ値１１のＮＭＰが使用されてきた。
【００４２】
しかし、本発明者らは、炭酸アルキレン液が単独でも従来の剥離用溶剤と同程度又はそれ以上の剥離ができることを見出した。炭酸アルキレン液の有機被膜に対する溶解作用は高温になるほど強くなり、引火点以下の温度であれば、安全に操作することができるし、不活性ガス中であれば、２００℃程度の湿式処理でも何ら問題はなく、他の有機溶剤系レジスト除去剤に比し、７０℃程度での蒸気圧は約１／１０で、加熱処理での蒸発による液損失が少ないという利点がある。高温状態では、蒸発量がやや多くなるが、蒸気の毒性は非常に低いので特に問題とはならない。
【００４３】
この洗浄液は室温で液体である方が使いやすく、炭酸エチレンと炭酸プロピレンとを混合すれば後者が多いほど融点が低下する。一方、後者が多いと上述のようにオゾンを溶解させたときオゾンとの反応により生じる酸化性物質の量が多くなり、液の消費量に影響を及ぼす。室温で液状という条件と酸化性物質低減の条件を満たす混合割合は、炭酸エチレン／炭酸プロピレンの重量比が、４〜２／３、好ましくは３〜１となる範囲である。
【００４４】
例えば、代表的なポジ型フォトレジストであるノボラック系レジストは、クレゾールの重合体と多環芳香族で構成されているため、本発明の洗浄液を適用すれば、加熱によって溶解性を高めることができる。
【００４５】
オゾンを用いることなく加熱だけでの有効な温度範囲は３０〜２００℃（炭酸エチレン単独使用の場合は、４０〜２００℃）で、好ましくは引火点以下の６０〜１５０℃である。処理条件が適当であれば２０μｍ／分以上の剥離速度を容易に得ることができる。オゾンガスが通気された洗浄剤で剥離を行う場合は、液温は２０〜６０℃が望ましい。
【００４６】
湿式の剥離法では、従来その剥離処理が非常に難しかったＢ＋の１×１０１５／ｃｍ２イオン注入で変質したノボラックレジスト膜すら、高温の炭酸アルキレン液の浸漬処理によればかなり短時間で剥離することができる。例えば、１．５μｍの厚さの膜が、１２０℃で７０秒の炭酸アルキレンの浸漬処理で剥離され、ドライエッチングで変質層を生じたレジストの場合も同様である。
【００４７】
また、処理温度が高い程、表面張力や粘度が下がり、超微細パターンデバイスでのレジスト剥離に適している。
【００４８】
Ｂ＋の１×１０１４／ｃｍ２イオン注入の膜では、厚さ１５μｍの剥離が、１２０℃の炭酸エチレン液への浸漬で５秒（剥離速度：１８μｍ／分）、１００℃浸漬で１０秒（剥離速度：９μｍ／分）と極めて速い。炭酸プロピレンの場合は、これよりも多少時間がかかる。強く変質したレジストの高温処理では、特に変質の激しい表層部以外の成分が容易に洗浄液に溶解し、溶解し難い変質成分は微小粒となって液に分散するという剥離機構が働く。分散した微小粒は後述のように炭酸アルキレン液のオゾン処理槽でのオゾンガス通気処理で完全に溶解できる。
【００４９】
この高温での溶解力は極めて大きいので、有機被膜を有する洗浄対象物を洗浄液に接触させるだけで溶解が直ちに始まる。溶解は一種の拡散現象で濃度差が大きいほどに速くなることから、洗浄槽中の洗浄液の対流によって、有機被膜を連続的に溶解し、溶解効果を高い状態で維持することができる。
【００５０】
上述の通り、液状炭酸アルキレン液を用いると、レジスト膜等の有機被膜を有効に剥離・除去することができ、該処理後の洗浄液には、有機被膜由来の成分が溶解（及び分散）して含有されることとなる。
【００５１】
このように炭酸アルキレン液は有機被膜の溶解力が大きいため、洗浄対象物を浸漬したのみでも有機被膜を剥離・除去することは容易であるが、より効率的に有機被膜の剥離・除去を行うためには洗浄対象物を揺動したり、超音波を照射したりすることが好ましい。
【００５２】
図２の揺動手段５１の構成は既に説明したが、その動作は、カム５４が回転することによって、保持手段５３も円運動をはじめ、この保持手段５３に接続している洗浄カゴ５２もそれに伴い上下左右へと円を描きながら運動を行い、洗浄液２の中で洗浄カゴ５２は揺動されて、洗浄カゴ５２を浸漬するだけの洗浄よりも効率的に有機被膜の剥離を行うことができるものである。
【００５３】
また、超音波を照射する場合には、超音波振動子、例えば、２８ｋＨｚ、３００Ｗの超音波振動子により超音波を洗浄対象物に照射することによって、洗浄対象物に付着している有機被膜に振動が与えられ、有機被膜の剥離を促進することができる。
【００５４】
この有機被膜由来の成分が溶解した洗浄液は、洗浄槽３とオゾン処理槽５とを接続する配管６Ａを通って、オゾン処理槽５へ移動し、有機被膜分解処理工程へ付される。
【００５５】
本発明の有機被膜分解処理工程は、洗浄槽３からオゾン処理槽５へ移動してきた洗浄液をオゾン散気管４から放出されるオゾンと接触させて、洗浄工程により洗浄液に溶解した有機被膜を構成する有機物を分解処理するものである。
【００５６】
この洗浄液は極性溶媒であるためオゾンの溶解性は低いが、低濃度であっても、洗浄液中に含まれるオゾンは、溶解した有機物（特に、二重結合を持つ化合物や芳香族化合物）に対して強い分解作用を有する。しかし、有機物に対して強い分解作用を有するにも拘わらず、炭酸アルキレン自体はオゾンとの反応性が低温ではそれ程大きくないことから、炭酸アルキレン自体のオゾンによる分解は比較的軽度であることがわかった。
【００５７】
炭酸アルキレンとオゾンとの反応では、酸化性物質（過酸化物と推定される）を生じるが、炭酸エチレンの方が炭酸プロピレンよりもオゾンと反応し難く、４０℃の液に２６０ｍｇ／ＮＬのオゾンガスを５分で飽和させた場合、酸化性物質の生成量は１５ｍｇ当量／Ｌ以下であるにすぎない。
【００５８】
炭酸アルキレン中に溶解している有機物は二重結合をもっていたり、芳香族化合物、例えばノボラック系レジストであると、これにオゾンガスを通気することで、短時間に低分子量物質にまで分解され、液は微小粒の分散の無い淡色透明の状態になる。
【００５９】
そして、炭酸エチレン及び炭酸プロピレン自体は、オゾンガス通気によって少量の酸化性物質が発生するほかは大部分が化学的に変性しないこと及び低分子量分解生成物が含まれていても、レジスト等の剥離・除去性能が低下しないことがわかった。
【００６０】
従って、有機被膜除去処理後の洗浄液にオゾンガスを通気することで洗浄液中へ溶解した有機被膜成分を分解すれば、そのまま（未分解の有機被膜が残存する恐れがあるときは、必要に応じ精密濾過して）順次、別の洗浄対象物に付着した有機被膜除去のための洗浄液として循環再利用することができる。
【００６１】
すなわち、オゾン処理を施せば、洗浄液の有機被膜の溶解能力を再生することができるという大きな利点がある。このことは、従来の高価な有機溶剤の場合と比較して、経済的に極めて有利である。本発明では、有機被膜除去処理済みの洗浄液のオゾン処理・精密濾過という再生手法で、洗浄液を新たに交換することなく数十回繰り返して使用することができる。
【００６２】
更に、本発明では、有機被膜の除去処理後の洗浄液を、オゾンガス通気によって有機被膜由来の成分を低分子物質に分解する工程をバッチ式で行ってもよく、かつ、有機被膜除去を行う洗浄槽３とは別にオゾン処理槽５を設けて有機物を分解する工程を行うこととすればよい。
【００６３】
本発明の洗浄液循環工程は、オゾン散気管４から放出されたオゾンにより洗浄液を循環させ、有機被膜分解工程を経由した洗浄液を再度洗浄工程に用いるものである。
【００６４】
本実施形態においては、洗浄液循環工程は、洗浄槽３で有機被膜成分である有機物を溶解した洗浄液が配管６Ａを通ってオゾン処理槽５に移動し、オゾン処理槽５で有機物が分解され有機被膜の溶解能力が回復した洗浄液を配管６Ｂを通して洗浄槽３へ循環させるものである。
【００６５】
この洗浄液２を循環させる原動力は、オゾン散気管４から放出されるオゾンのエアーリフト作用によるものである。オゾン散気管４からオゾンの気泡が放出されると、オゾン処理槽５において洗浄液２が気泡の動きと同一の方向、すなわち上方、に移動する力が生じ、これにより押し出される形でオゾン処理槽５の上部にあった洗浄液２は上部の循環配管６Ｂを通り、洗浄槽３へ移動する。この移動によって洗浄槽３にある洗浄液２は同様に押し出される形で、下部の循環配管６Ａを通ってオゾン処理槽５へ移動することとなり、本発明の有機被膜除去装置１に収容されている洗浄液２に流れが生じるために一定の方向に対流することとなるのである。
【００６６】
洗浄液２を循環できる回数（即ち、洗浄液の寿命）はオゾンによる有機被膜分解工程ごとに発生する酸化性物質の量が関係し、徐々に低下する洗浄液の純度に依存する。有機被膜分解工程で生じる酸化性物質はヨードメトリーで定量することができ、液温が高い程、また前述のように炭酸プロピレンの場合の方が生じやすい。液に含まれている酸化性反応物質は必要に応じて白金やパラジウム等の触媒を用いて分解することができる。
【００６７】
また、本発明の有機被膜除去装置１を構成する洗浄槽３、オゾン散気管４、オゾン処理槽５、循環配管６は、耐オゾン性の優れた材質を用いることが必要である。耐オゾン性に優れた材質としては、ステンレス、アルミニウム等の金属、ブチルゴム、エチレン・プロピレンゴム、アクリルゴム、ウレタンゴム、シリコーンゴム、フッ素ゴム等の合成ゴム、塩化ビニル樹脂、フッ素樹脂等の熱可塑性樹脂、メラミン樹脂等の熱硬化性樹脂等が挙げられる。
【００６８】
（第２の実施形態）
図３は、本発明での有機被膜除去装置の第２の実施形態を示した概念図である。
【００６９】
図３の有機被膜除去装置１１は、洗浄液１２を収容する洗浄槽１３と、底部にオゾン散気管１４を配置したオゾン処理槽１５と、洗浄槽１３とオゾン処理槽１５とを仕切り、その下部及び上部に洗浄液１２を循環させるための開口１７を有する間仕切り１６とから構成されている。
【００７０】
この有機被膜除去装置１１の構成は、先に説明した図１に記載した有機被膜除去装置１とは、洗浄槽３とオゾン処理槽５とが一体として配置、構成されており、循環配管６の代わりに間仕切りの開口１７を通って洗浄液が循環することができるようになっている点が異なるだけである。
【００７１】
このとき、有機被膜除去装置１１の洗浄槽１３とオゾン処理槽１５とは、それぞれ別個の容器を用いて一体的に隣接配置し、その隣り合う側壁に開口１７を作って形成してもよいし、一つの容器に開口１７を有する間仕切り１６を設けることによって形成してもよい。
【００７２】
このような構成とすることで、より有機被膜除去装置の一体感が増し、装置自体をコンパクトにすることができる。また、洗浄槽１３からオゾン処理槽１５への移動距離が短いため、循環を効率的に行うことができ、有機被膜の除去を効果的に行うことができる。
【００７３】
（第３の実施形態）
図４は、本発明での有機被膜除去装置の第３の実施形態を示した概略図である。
【００７４】
図４に示した有機被膜除去装置２１は、第１の実施形態の有機被膜除去装置１において、上部配管６Ｂをオゾンの気泡が通過しないように気泡排除板２７を設けたものである。
【００７５】
この気泡排除板２７は、オゾン散気管４から放出されたオゾンの気泡が、洗浄槽３側へ行くことを防ぐことにより、オゾン気泡は、オゾン処理槽５から排出されることとなる。
【００７６】
しかし、オゾンを大気中へ放出する際には、設定されている環境基準値に従った濃度以下で排出しなければならないため、本実施形態においては、オゾンを分解処理して、大気中へ無害な物質（二酸化炭素、酸素等）として放出する構成をとっている。
【００７７】
そのために、オゾン処理槽５の上部に通気管を介して接続されたオゾン分解手段２８を設け、このとき、オゾンを漏れなく処理するためにオゾン処理槽５の液面から上方は密閉され、放出されたオゾンが全てオゾン分解手段２８を通過するようになっている。
【００７８】
また、この実施形態においてオゾン分解手段２８は、オゾンを分解して無害化することができるものであれば特に制限されるものではないが、接触還元法により行うことが好ましい。接触還元法は、一般に、数度〜数十度の低温で分解が起こり、消耗が少ないためコスト面では極めて有利である。また、接触還元法以外にも熱分解法、薬液洗浄法、活性炭法等を用いてオゾンを分解することもできるが、コストが余計にかかることとなる。
【００７９】
本実施形態における有機被膜除去装置は、有機被膜の除去のために放出したオゾンを洗浄槽側へ移動させることがなく、洗浄槽が開放されておりオペレーターが近くで操作を行っている場合でも、オゾンが人体近くに放出されることが無い。また、オゾン処理槽５は密閉され、その上部には通気管を介してオゾン分解手段２８が接続されているため、オゾン散気管４から放出されたオゾンは、全てオゾン分解手段２８により分解処理されて、無害化された状態で大気へ放出されることとなる。したがって、地球環境上もオゾンの排出規制を遵守するものであり、この有機被膜除去装置２１は、極めて優れた装置である。
【００８０】
なお、本実施の形態においては、第１の実施形態に構成を追加した形で示したが、第２の実施形態においても同様に適用することができる。
【００８１】
（第４及び第５の実施形態）
図５は、本発明での有機被膜除去装置の第４の実施形態を、図６は第５の実施形態を示した概略図である。
【００８２】
第４及び第５の実施形態は、気泡排除板を設けることなく気泡を洗浄槽３側へ移動させることのない構成としたものである。ここに示した装置は、洗浄槽及びオゾン処理槽の上部に設けられた循環配管又は開口の設け方に特徴を有するものである。
【００８３】
図５に示した有機被膜除去装置３１は、第１の実施形態に記載されている有機被膜除去装置１において、循環配管の設け方が異なり、循環配管３６Ｂがオゾン処理槽５側から洗浄槽３側に向かって下るように傾斜を設けたものである。この傾斜によって、オゾンの気泡が循環配管３６Ｂに入っても気泡の浮力により洗浄槽３までは到達せずに、オゾン処理槽５側へ戻ることとなる。
【００８４】
また、図６に示した有機被膜除去装置４１は、第２実施形態に記載されている有機被膜除去装置において、仕切り板の開口の設け方が異なり、開口４７Ｂの上部にある仕切り４６の位置が他の部分よりも洗浄槽１３側へ寄っており、これにより、オゾンの気泡が洗浄槽１３に入ることを妨げる構成となっている。
【００８５】
したがって、これらの構成をとることとすれば、オゾン散気管から放出されたオゾンの気泡が洗浄槽側へ移動することがなく、洗浄槽が開放系であって、オペレーターが近くで操作を行っている場合でも、オゾンが人体近くに放出されることを防ぐことができる。
【００８６】
［有機被膜除去・洗浄装置］
（第１の実施形態）
次に、本発明の有機被膜除去・洗浄装置について図面を参照しながら説明する。
【００８７】
図７は、本発明での洗浄装置の第１の実施形態を示した正面図である。
【００８８】
本発明の有機被膜除去・洗浄装置７１は、有機被膜除去装置２１、有機被膜を除去した洗浄対象物の洗浄液をすすぐための純水洗浄槽７２、純水洗浄槽７２で付着した純水を乾燥させる乾燥手段７３、洗浄カゴ昇降機７４、炭酸アルキレン排気口７５から構成されるものである。
【００８９】
有機被膜除去装置２１は、既に説明したとおりのものであるが、ここでは、気泡排除板２７及びオゾン分解手段２８を有する第３の実施形態で説明した有機被膜除去装置２１を使用した場合について説明する。この有機被膜除去装置２１は、オゾン分解手段２８を有しているため、有機被膜の除去を行う際、オゾン散気管から放出されたオゾンをオゾン分解手段２８により分解、処理して、排気口７５から大気中へ排出するものである。
【００９０】
純水洗浄槽７２は、純水を収容するものであり、有機被膜除去装置２１で有機被膜が除去された洗浄対象物を、この純水洗浄槽７２に浸漬することで洗浄対象物に付着している洗浄液を純水で洗い流すものである。ここで、純水洗浄槽７２においても、純水でのすすぎを効率良く行うために、有機被膜除去装置２１と同様に揺動手段や超音波手段を用いることができる。
【００９１】
乾燥手段７３は、純水洗浄槽７２で洗浄した洗浄対象物に対して送風することにより純水を乾燥させるものであり、送風口から乾燥空気を洗浄カゴ２２に向けて吹き付ける方式で洗浄対象物に付着している純水を吹き飛ばし、同時に、純水の蒸発、乾燥を行うことで洗浄対象物を乾燥することができる。
【００９２】
洗浄カゴ昇降機７４は、洗浄対象物が純水で洗浄された後、純水洗浄槽の上部に配置された乾燥手段７３の送風口まで洗浄対象物が入った洗浄カゴの昇降を行うことができるものである。これは純水洗浄の際に、洗浄を効率的に行うために昇降させてもよい。
【００９３】
炭酸アルキレン排気口７５は、有機被膜除去装置２１から有機被膜除去・洗浄装置７１内に拡散する炭酸アルキレンの蒸気を排気するものである。この排気口７５が接続されている排気ダクトは、有機被膜除去装置２１から排出されるオゾン分解手段２８により処理された気体の排気口２９と合流してもよく、排気ダクトから外部環境へガスが排出される。
【００９４】
この工程において、洗浄カゴを有機被膜洗浄装置２１から純水洗浄槽７２への移動を搬送手段を用いて自動で行うこととすれば、人の手を煩わさず、効率的に洗浄作業を行うことができる。
【００９５】
また、有機被膜除去装置２１、純水洗浄槽７２及び洗浄カゴを移動する搬送手段には、保温手段を有することが好ましい。これは、洗浄液として炭酸エチレンを用いた場合には、３６．４℃以下で凝固してしまうため、室温での洗浄作業では洗浄対象物に炭酸エチレンの膜ができてしまうためである。この保温手段を用いることにより炭酸エチレンの固化を防ぎ、洗浄対象物を清浄に保つことができる。
【００９６】
次に、この有機被膜除去・洗浄装置を用いた有機被膜除去・洗浄方法について説明する。
【００９７】
まず、有機被膜除去工程では、洗浄対象物を洗浄カゴに入れ、この洗浄カゴを有機被膜除去装置２１の洗浄槽の洗浄液中に浸漬して、有機被膜を溶解・除去するのに十分な時間、浸漬して洗浄対象物の有機被膜を除去する。このとき、有機被膜の除去を効率的に行うために、洗浄カゴを洗浄槽中で揺動することが好ましい。
【００９８】
この浸漬する時間は、除去する有機被膜の厚さ、量、有機被膜の洗浄液への溶解度等を考慮して適宜決定すればよく、例えば、ノボラック型レジストの１ｍｍ厚程度の被膜であれば、２０分間の浸漬で有機被膜を完全に除去することができる。
【００９９】
有機被膜の除去が終わったら洗浄カゴを洗浄槽から引き上げ、次に、これを純水洗浄槽７２まで移動し、今度は純水洗浄槽７２の純水中に浸漬して、有機被膜除去工程で付着した洗浄液を洗い流す。
【０１００】
このとき、有機被膜除去装置２１での洗浄と同時に揺動、超音波振動により洗浄を行ってもよく、洗浄カゴ昇降機７４を用いて洗浄カゴを昇降させることにより行ってもよい。
【０１０１】
洗浄対象物の純水での洗浄が終わったら、次に洗浄カゴ昇降機により洗浄カゴを純水洗浄槽７２から引き上げ、乾燥手段７３の送風口まで移動して保持する。
【０１０２】
次に、乾燥手段７３の送風口からエアーを洗浄対象物に吹き付けて、純水洗浄槽７２で付着した純水を蒸発・乾燥させる。
【０１０３】
また、純水洗浄層への純水の供給は、純水供給管７６から純水洗浄層７２が満水となるまで行えばよく、洗浄対象物のすすぎに用いられた純水は、このすすぎの操作により溢れて、純水洗浄層の外側に設けられた槽から純水排水管７７を通して排水される。このすすぎに用いられた純水は一度使用されると少なからず汚染されるため、次のすすぎを行う前に、純水排水管７７を通して全て排水され、空になった純水洗浄層には純水供給管７６を通して再度純水が満たされる。このとき、純水洗浄槽自体を清浄に保つために純水の供給、排水を行ってすすいでもよい。
【０１０４】
本実施の形態において、有機被膜の除去、純水洗浄、洗浄槽から純水洗浄槽への搬送を行う際には、保温手段を用いることが好ましい。洗浄液が炭酸エチレンであった場合には、３６．４℃以下になると凝固してしまうため、加温手段を用いることにより洗浄対象物に炭酸エチレンの固体が付着するのを防止し、洗浄対象物を清浄に保つことができる。このときの加温温度は、３５〜８０℃であることが好ましく、４０〜５０℃であることが特に好ましい。
【０１０５】
（第２の実施形態）
本発明での有機被膜除去・洗浄装置の第２の実施形態は、図８に示したように、第１の実施形態とは、有機被膜除去装置２１が２つ用いられている点が異なるのみであり、このうち最初の洗浄として用いられる第１の有機被膜除去装置２１１は、有機被膜の除去をするために主に機能するものである。
【０１０６】
第２の有機被膜除去装置２１２は、その後の洗浄に用いられ、１回の洗浄では除去しきれずに残った有機被膜の除去と第１の有機被膜除去装置２１１で付着した洗浄液を洗い流すものである。第１の有機被膜除去装置２１１における洗浄では、洗浄作業が進むにつれて、洗浄液に有機被膜を構成する有機物やその分解物である有機酸が混在することとなるため、洗浄対象物に付着した洗浄液は汚染される。第２の有機被膜除去装置２１２は、この汚染された洗浄液を一旦すすぐことによって洗浄対象物に有機被膜やその分解物が付着するのを防止するものである。
【０１０７】
この第２の有機被膜除去装置２１２を用いることにより、第１の有機被膜除去装置２１１で付着した汚染された洗浄液を十分に洗い流すことができるため、洗浄対象物をより清浄に保つことができる。
【実施例】
【０１０８】
（実施例１）
この実施例においては、図７に示した構成をとり、その外形寸法が、奥行１０００ｍｍ×幅１４００ｍｍ×高さ１８００ｍｍ寸法（オゾン分解手段、排気口は除く。また、オゾン分解手段は装置内に組み込むこともできる。）でキャスター上に配置された有機被膜除去・洗浄装置を用いた。また、ここで用いた有機被膜除去装置は、洗浄槽（４００ｍｍ×４００ｍｍ×４２０ｍｍ寸法）とオゾン処理槽（４００ｍｍ×１００ｍｍ×４２０ｍｍ寸法）との両槽間が仕切り板で仕切られており、その上部及び下部にそれぞれ５０ｍｍ幅の洗浄液１２を循環させるための開口を有する内容積が８０Ｌの槽からなっている。
【０１０９】
有機被膜の除去を行う際の揺動手段は、洗浄対象物を入れる洗浄カゴ（３２０ｍｍ×３２０ｍｍ×３２０ｍｍ寸法）を保持することができる保持部と、この保持部と接続されたカムとから構成され、カムを回転させることにより洗浄カゴを揺動（揺動幅６ｃｍ、上下運動、１５回／分）させることができる。
【０１１０】
また、純水洗浄槽（４００ｍｍ×４００ｍｍ×５５０ｍｍ寸法）は内容積８０Ｌで、揺動条件（揺動幅６ｃｍ、上下運動）が前記揺動手段と同様な洗浄カゴ昇降機３４で構成されている。
【０１１１】
まず、有機被膜除去装置の槽内に６０Ｌの炭酸エチレン溶液を注入し、純水洗浄槽には純水供給管より純水を満杯状態にして、オゾンガスはオゾンガス濃度６０ｇｒ／Ｎｍ３で流量３ＮＬ／分をオゾン散気管に吹き込みオゾン処理槽がエアーリフト作用状態となるようにして、洗浄槽にスピンコーターカップ（２００ｍｍφ用レジスト付着カップ、厚さ１ｍｍ程度のレジスト膜が付着）を入れた洗浄カゴ（３２０ｍｍ×３２０ｍｍ×３２０ｍｍ寸法）を浸漬した。この洗浄カゴを揺動手段により揺動しながら２０分間洗浄した。
【０１１２】
炭酸エチレン洗浄液による洗浄後、直ちに純水が満水状態となっている純水洗浄槽に浸漬し、洗浄カゴ昇降機により洗浄カゴを揺動しながら３分間洗浄した。このとき、純水洗浄槽から溢れたすすぎに用いられた純水はその外側に配置された槽の底から純水排水管を通って排水される。
【０１１３】
純水によるすすぎが終了した洗浄カゴは、洗浄カゴ昇降機で所定位置まで持ち上げられ、左右にある乾燥手段から噴出される乾燥空気でスピンコーターカップに付着している純水を吹き飛ばし、同時に純水を蒸発させて乾燥した。この乾燥空気による乾燥を１５分間行って取り出し、目視で洗浄状態を確認したところ、スピンコーターカップに付着していたレジスト膜は全て除去され、充分に洗浄が行われていることが確認できた。なお、以上の操作は、有機被膜除去・洗浄装置内の温度を４０℃近傍に保持して行った。
【０１１４】
この洗浄操作の終了後、純水洗浄槽は直ちに洗浄水全量をドレインして、新しい純水を流量１６０Ｌ／分、３０秒で注入満水状態として待機する。
【０１１５】
また、無色透明の炭酸エチレン洗浄液は、剥離洗浄されたレジストを含む洗浄液として透明茶褐色を呈するが、オゾン処理槽でレジストがオゾンと接触することで分解処理されると有機酸となり無色透明に戻る。しかし、洗浄回数を重ねると完全に無色透明となることがなくなり透明茶褐色の色調が濃くなり、有機被膜の溶解能力が低下するため、洗浄液の交換を行う。洗浄液の交換時期の管理は洗浄操作状況と透明茶褐色への色調の変化度合いとを色度計で測定することで判断すればよい。
【０１１６】
なお、洗浄液として炭酸プロピレンのみ又は炭酸エチレンと炭酸プロピレンの５０：５０混合液を用いて洗浄を行ったところ、同等の洗浄効果が得られることも確認できた。これら洗浄液の選定は洗浄対象物により適宜決めればよい。
【０１１７】
（実施例２）
この実施例においては、図８に示した構成をとり、その外形寸法が、奥行１０００ｍｍ×幅１６４０ｍｍ×高さ１８００ｍｍ寸法（オゾン分解手段、排気口は除く。また、オゾン分解手段は装置内に組み込むこともできる。）でキャスター上に配置された有機被膜除去・洗浄装置を用いた。実施例１とは、有機被膜除去装置が２つ用いられる点のみ異なるものであり、その実施においては、第１の有機被膜除去装置では２０分間の浸漬揺動洗浄、第２の有機被膜除去装置では５分間の浸漬揺動洗浄により、実施例１と同様の大きさ、厚さのレジストが付着したスピンコーターカップの洗浄を行った。
【０１１８】
第２の有機被膜除去装置の洗浄液交換時期の管理は、実施例１の有機被膜除去装置と同様にあらかじめ洗浄操作状況と透明黄色への色相変化度合いとを色度計で測定することで判断すればよい。
【０１１９】
第２の有機被膜除去装置の洗浄層内は、ほとんど炭酸エチレンの洗浄液の色調である無色透明が保持されるため、高度洗浄が要求されるウェハ、液晶板などの洗浄に適していると考えられる。
【０１２０】
なお、実施例１と同様に、洗浄液として炭酸プロピレンのみ又は炭酸エチレンと炭酸プロピレンの５０：５０混合液を用いて洗浄を行ったところ、同等の洗浄効果が得られることも確認できた。これら洗浄液の選定は洗浄対象物により適宜決めればよい。
【図面の簡単な説明】
【０１２１】
【図１】本発明に係る有機被膜除去装置における第１の実施形態を示した概念図である。
【図２】洗浄対象物を揺動するための揺動手段の概念図である。
【図３】本発明に係る有機被膜除去装置における第２の実施形態を示した概念図である。
【図４】本発明に係る有機被膜除去装置における第３の実施形態を示した概念図である。
【図５】本発明に係る有機被膜除去装置における第４の実施形態を示した概念図である。
【図６】本発明に係る有機被膜除去装置における第５の実施形態を示した概念図である。
【図７】本発明に係る有機被膜除去・洗浄装置における第１の実施形態を示した概念図である。
【図８】本発明に係る有機被膜除去・洗浄装置における第２の実施形態を示した概念図である。
【符号の説明】
【０１２２】
１，１１，２１，３１，４１…有機被膜除去装置、２，１２…洗浄液、３，１３…洗浄槽、４，１４…オゾン散気管、５，１５…オゾン処理槽、６（６Ａ，６Ｂ），３６（３６Ａ，３６Ｂ）…循環配管、１６，４６…仕切り版、１７，４７…開口部、２７…気泡排除板、２８…オゾン分解手段、２９…排気口、５１…揺動手段、５２…洗浄カゴ、５３…保持部、５４…カム、７１，８１…有機被膜除去・洗浄装置、７２，８２…純水洗浄槽、７３，８３…乾燥手段、７４，８４…洗浄カゴ昇降機、７５，８５…排気口、７６…純水供給管、７７…純水排水管
【図１】
2005144351.tif 000003
【図２】
2005144351.tif 000004
【図３】
2005144351.tif 000005
【図４】
2005144351.tif 000006
【図５】
2005144351.tif 000007
【図６】
2005144351.tif 000008
【図７】
2005144351.tif 000009
【図８】
2005144351.tif 000010